(57)【要約】【課題】遊技機のガラス扉におけるガラス板の着脱作業を容易化する。【解決手段】ガラス扉の背面側に固定支持枠５２がネジ固定され、前後のガラス板５４の外周縁部が保護フレーム５３に係合されて一体化されたガラスアッセンブリ５５が、固定保持枠５２の背後から着脱可能に支持される。固定支持枠５２には、ガラスアッセンブリ５５が取付姿勢に位置したときにガラスアッセンブリ５５と係合して仮止めする仮止め機構５２ｇと、取付姿勢に位置したガラスアッセンブリと係合して係止する係止保持機構５７とが設けられてガラス取付機構５０が構成される。【選択図】　図８
2004081727.tif 000002
【特許請求の範囲】
【請求項１】
遊技盤を保持する枠部材の前面側に、前後に開口する窓口を有して横開き開閉可能に取り付けられた扉枠とこの扉枠の背面側にガラス保持手段を介して前記窓口を塞ぐように取り付けられた少なくとも前後２枚のガラス板とを有してなるガラス扉を備え、前記ガラス扉が前記遊技盤の前面を覆うように閉鎖された状態で前記ガラス板を通して前記遊技盤を透視させ遊技を行う遊技機において、
前記ガラス保持手段は、
前記前後のガラス板の外周縁部と係合して当該前後のガラス板を所定の間隔をおいて保持し一体のガラスアッセンブリを形成させる保護部材と、
前記扉枠に設けられて前記扉枠の背面側から受容した前記ガラスアッセンブリを着脱可能に支持する支持手段と、
前記支持手段に支持されたガラスアッセンブリが前記窓口を塞ぐ取付姿勢に位置したときに当該ガラスアッセンブリと係合してガラスアッセンブリを仮止めする仮止め機構と、
前記取付姿勢に位置したガラスアッセンブリと係脱可能に係合して当該ガラスアッセンブリを係止させる係止保持機構と
を備えたことを特徴とする遊技機におけるガラス取付機構。
【発明の詳細な説明】
【０００１】
【発明の属する技術分野】
本発明は、遊技盤を保持する枠部材の前面側に横開き開閉可能に取り付けられて遊技盤を透視させるガラス扉を備え、このガラス扉が遊技盤の前面を覆うように閉鎖された状態で遊技に供される遊技機に関し、なお詳細には、このようなガラス扉にガラス板を着脱させる際に有用な遊技機のガラス取付機構に関する。
【０００２】
【従来の技術】
上記のようなガラス扉を備えた遊技機として、パチンコ機やアレンジボール機、雀球遊技機などの縦型遊技機がある。例えば、この種の遊技機の代表例として例示されるパチンコ機では、開閉搭載枠たる前枠の正面奥部に所定のゲージ設定で遊技領域が形成された遊技盤がセット保持されており、その前面側に遊技領域を透視保護するガラス扉が設けられている。
【０００３】
ガラス扉は、中央部に開口する窓口を有して外郭方形状に一体成型された扉枠と、この扉枠の背面側にガラス保持手段を介して窓口を塞ぐように取り付けられた前後２枚のガラス板とを主体として構成されており、扉枠および前枠の左側縁に配設されたヒンジ機構で横開き開閉自在に支持されるとともに、互いの右側縁に配設された施錠装置を利用して閉鎖保持可能に取り付けられている。ガラス保持手段としては、扉枠の裏面側に窓口を取り囲むようにねじ固定された金属製のガラス枠が従来から広く用いられている。ガラス枠の左右辺部にはガラス板の外周縁部を支持するガイドレール状の支持溝が前後２列に形成されており、ガラス枠の上方から各支持溝に沿ってガラス板を挿入することでガラス板を保持させるように構成されている。
【０００４】
ガラス板は、パチンコ機の運搬途上における乱雑な取り扱いや振動等による破損を防止するため、パチンコ機の出荷に際してガラス扉から取り外され別梱包して出荷されており、パチンコ機が遊技施設に固定設置された後に、扉枠を開放させて１枚ずつガラス枠に挿入することで組み付けられている。
【０００５】
【発明が解決しようとする課題】
ところが、上記したような従来のガラス取付機構にあっては、遊技施設においてガラス板を取り付ける際に、すでに立設姿勢に設置されて高所位置にあるガラス枠の上端位置までガラス板を鉛直に立てた状態で持ち上げ支持したうえで、ガラス板の左右側縁下端部を支持溝に位置あわせして係合させ、さらに支持溝に沿って鉛直下方に挿入する必要がある。また、ガラス板を取り外す際も同様にガラス板を高い位置まで鉛直姿勢を維持したまま上方に持ち上げて引き抜く必要がある。特にガラス扉の正面側に位置するガラス板はガラス扉の背面に密接するように配設されるため、ガラス板を挿抜することが容易でなかった。このため、ガラス板の着脱作業が繁雑かつ重労働であるとともに、この作業過程でガラス板を破損させてしまうこともあるという問題があった。
【０００６】
こうした問題を解消してガラス板の装着や取り扱いを容易化するため、例えば、実開昭５９−１８３２８２号公報や実開平２−１０６２９１号公報には、前後２枚のガラス板を所定の間隔をおいて一体化させる技術が記載されている。また特開平９−７１８号公報や特開平９−５６９０３号公報には、このように一体化されたガラスアッセンブリをガラス扉の背面側に固定保持する技術が開示されている。しかしながら、これらの公報に記載された技術では、前後のガラス板が一体化されてガラス板自体の取り扱い性は改善されているものの、一体化されて重量が増加したガラスアッセンブリを扉枠の所要位置に整合させる位置合わせ作業や、整合状態を維持して扉枠に固定する固定作業などはかえって作業性が悪化し、ガラス板の着脱作業全体として作業の容易化が図られていないという問題があった。
【０００７】
本発明は、上記のような問題に鑑みてなされたものであり、煩雑かつ重労働であるガラス板の着脱作業を容易化して作業性を改善するとともに、当該作業過程におけるガラス板の破損をも低減し得るガラス取付機構を提供することを目的とする。
【０００８】
【課題を解決するための手段】
上記目的を達成するため、本発明は、遊技盤を保持する枠部材の前面側に、前後に開口する窓口を有して横開き開閉可能に取り付けられた扉枠とこの扉枠の背面側にガラス保持手段を介して窓口を塞ぐように取り付けられた少なくとも前後２枚のガラス板とを有してなるガラス扉を備え、ガラス扉が遊技盤の前面を覆うように閉鎖された状態でガラス板を通して遊技盤を透視させ遊技を行う遊技機におけるガラス取付機構である。そのうえで、本発明のガラス保持手段は、前後のガラス板の外周縁部と係合して当該前後のガラス板を所定の間隔をおいて保持し一体のガラスアッセンブリを形成させる保護部材（例えば、実施形態における保護フレーム５３等）と、扉枠に設けられて扉枠の背面側から受容したガラスアッセンブリを着脱可能に支持する支持手段（例えば、実施形態における支軸ピン５２ｂと支軸係合溝５５ｂとからなる傾動支持機構等）と、支持手段に支持されたガラスアッセンブリが窓口を塞ぐ取付姿勢に位置したときに当該ガラスアッセンブリと係合してガラスアッセンブリを仮止めする仮止め機構と、取付姿勢に位置したガラスアッセンブリと係脱可能に係合して当該ガラスアッセンブリを係止させる係止保持機構とを備え、これにより遊技機のガラス取付機構が構成される。
【０００９】
このような構成のガラス取付機構では、前後のガラス板の外周縁部が保護部材に係合保持されて一体のガラスアッセンブリが形成され、このように一体化されたガラスアッセンブリが扉枠の背面側から着脱可能に支持手段に支持されるとともに、このように支持されたガラスアッセンブリを取付姿勢に位置させることで当該ガラスアッセンブリが仮止め機構により取付姿勢に仮止めされる。このため、外周部が保護された前後２枚のガラス板を一工程で扉枠に着脱させることができるうえ、遊技機が設置されてガラス扉の上辺部が高所に位置していたとしても扉枠の背面側から低い作業位置でガラス板の着脱作業を行うことができ、背の低い作業者や非熟練作業者であっても容易かつ安全にガラス板の着脱作業を行うことができる。
【００１０】
また、支持手段に支持された状態のガラスアッセンブリを押圧等して取付姿勢に位置させることでガラスアッセンブリが仮止めされるため、ガラスアッセンブリの荷重を支持しながら位置合わせをしたり、片手でガラスアッセンブリを支えながら固定操作する等の必要がなく、ガラス板の着脱作業を全体的に容易化して作業性が良好なガラス取付機構を構成することができる。
【００１１】
【発明の実施の形態】
以下、本発明に係る遊技機のガラス取付機構について、好適な実施例を挙げて添付図面を参照しながら詳細に説明する。なお本実施例では、前枠の正面奥部に遊技盤が収容保持されたパチンコ機のガラス扉に本発明を適用した場合を主として説明する。
【００１２】
まず、本実施例のパチンコ機ＰＭの概要構成を図１および図２を参照して要約説明する。なお、図１はパチンコ機ＰＭの外観正面図を、図２は後述するガラス扉５および上球皿６を開いた状態におけるパチンコ機の正面図を示している。
【００１３】
パチンコ機ＰＭは外郭方形枠サイズに構成されて縦向きの固定保持枠をなす外枠１の開口前面に、これに合わせた方形枠サイズに構成されて開閉搭載用の前枠２が互いの正面左側上下に配設されたヒンジ部材３ａ，３ｂで横開き開閉および着脱が可能に取り付けられ、正面右側に設けられた施錠装置４を利用して常には外枠１と係合された閉鎖状態に保持される。
【００１４】
前枠２の各部にはパチンコ遊技を展開する遊技展開部材として、前枠２の前側面域に合わせた方形状のガラス扉５および上球皿６が正面左側部に設けられたヒンジ機構７ａ，７ｂ，７ｃを利用して横開き開閉および着脱が可能に組付けられ、上球皿６の下部に下球皿８、操作ハンドル９および打球発射装置１０等が装備されている。前枠２の上方奥部には後方に突出する方形枠状の収容枠２ａが前枠２と一体に形成されており、この収容枠２ａに所定のゲージ設定で構成された遊技盤２０が着脱可能にセット保持され、常には閉鎖保持されるガラス扉５に遊技盤正面の遊技領域ＰＡを臨ませている。
【００１５】
前枠２の裏側には、詳細図示省略するが、球貯留タンクや球払出装置等を有する裏機構盤が遊技盤２０の背面を覆うように横開き開閉および着脱可能に装備されるとともに、裏面各部に主制御基板やターミナル基板、音声基板等の各種基板や電子部品などが取り付けられて各機器がワイヤーハーネスで接続されている。
【００１６】
前枠２の上下中間領域には遊技補助盤と称される補助機構部２ｂが形成されており、発射レール１１やファール球回収経路１２、スピーカ１３などが設けられている。遊技補助盤２ｂの左上部は一部上方に延出されて前後に連通する通出口１４が形成され（図５を参照）、この通出口１４の後方に配設される裏機構盤の球出口と、通出口１４の前方に位置整合して配設される上球皿６の通出樋１５との間を繋いで、球払出装置から払い出された遊技球を通出口１４および通出樋１５を通して上球皿６に排出するように構成されている。なお、ガラス扉５はいわゆるダブル錠と称される施錠装置４により収容枠２ａの前面を覆う閉鎖姿勢にロック保持され、上球皿６はガラス扉５を開放させた状態においてのみ開閉操作可能なロック機構１６により遊技補助盤２ｂの前面を覆う閉鎖姿勢にロック保持される。
【００１７】
パチンコ機ＰＭは、上球皿６およびガラス扉５がともに閉止され施錠された状態で遊技に供され、上球皿６に遊技球を貯留させて操作ハンドル９を回動操作することにより遊技が開始される。操作ハンドル９が回動操作されると、上球皿６に貯留された遊技球が同球皿に内蔵された球送り装置によって１球ずつ発射レール１１上に送り出され、打球発射装置１０のハンマーに打ち出されて発射レール１１および遊技盤２０の案内レールに沿って遊技領域ＰＡに導かれ、以降パチンコゲームが展開される。
【００１８】
以上のように概要構成されるパチンコ機ＰＭにあって、前枠２およびガラス扉５の左側部に、前枠２に対してガラス扉５を開放状態に保持させる扉開放保持機構４０が設けられている。本実施例に開示する扉開放保持機構４０は、図３〜図６の各図に示すように、ガラス扉５の下部に水平面内に揺動可能に支持された係止金具４１を主体としてガラス扉５を開放状態に係止保持させる第１開放保持機構４０Ａと、ガラス扉５の背面に垂直面内に揺動可能に支持された固定金具４６を主体としてガラス扉５を開放状態に固定させる第２開放保持機構４０Ｂとの二つの開放保持機構を設けた例を示している。
【００１９】
なお、図３から図６の各図について概説すると、図３はガラス扉５を開放した状態で前枠２の前方斜め上方から見た扉開放保持機構４０の分解斜視図、図４は扉開放保持機構４０によりガラス扉５を開放保持させた状態の平面図、図５は扉開放保持機構４０によりガラス扉５を開放保持させた状態の背面図であって扉開放保持機構４０および後述するガラス取付機構５０の各部を部分拡大図として付記する説明図、図６はガラス扉５を閉鎖した状態を示す平断面図である。
【００２０】
扉開放保持機構４０を説明するにあたり、まずガラス扉５について概要構成を説明すると、ガラス扉５は、前後に開口する窓口５１ａを有して外郭方形の枠状に一体成型された樹脂製の扉枠５１の背面側に、窓口５１ａの周囲を取り囲むように薄板板金製の固定支持枠５２（下方枠部５２Ｕ、左方枠部５２Ｌ、右方枠部５２Ｒ）がねじ固定され、この固定支持枠５２に保護フレーム５３により前後２枚のガラス板５４が所定間隔をおいて一体化されたガラスアッセンブリ５５が後述する傾動支持機構および係止保持機構を利用して前後傾動および係止保持可能に支持されて構成される。ガラス扉５は、扉枠５１と前枠２との正面左側に設けられたヒンジ機構７ａ，７ｂにより前枠２に対して横開き開閉および着脱が自在に支持されている。
【００２１】
扉開放保持機構４０における第１開放保持機構４０Ａは、ガラス扉下部の固定支持枠５２（５２Ｕ）に水平旋回可能に支持される係止金具４１を主体として構成される。係止金具４１は、帯板状に細長く形成された保持杆部４１ａと、この保持杆部４１ａの基端側に形成された旋回軸部４１ｂ、保持杆部４１ａの先端側に穿設された係止孔部４１ｃなどからなり、例えば所定板厚の冷間圧延鋼板をプレス加工等により打ち抜き成形して、雄ネジ部および薄肉円盤状の座部からなる旋回軸部４１ｂをカシメ圧着した後、クロメート処理等の所要の表面処理を行って図示する形態に構成される。
【００２２】
固定支持枠５２の下方枠部５２Ｕには、前後のガラス板５４，５４の中間位置（より詳細には後述する溝間凹部の配設位置）に旋回軸部４１ｂの雄ネジ部外形よりも幾分大きめの内径を有する軸孔が形成されており（図５を参照）、下方枠部５２Ｕの支持面下側から雄ネジ部を挿通させて支持面側からナット４２を螺合させることにより、係止金具４１がガラス扉５の下部に水平旋回可能に取り付けられる。下方枠部５２Ｕの左右中央部には、切り起こし成形により後方に突出する係止フック５２ｆが形成されており、係止金具４１の先端側を下方枠部５２Ｕに沿うように水平旋回させたときに、支持杆部４１ａの下面を支持して下方枠部５２Ｕの下部に係止金具４１を係止保持可能に構成されている（図３及び図６を参照）。これにより、常には係止金具４１が係止フック５２ｆに係止されて下方枠部５２Ｕの下部にコンパクトに格納保持される。
【００２３】
また、通出口１４の上方には、上球皿６に設けられた通出樋１５から針金や金属薄板等を挿入して不正操作が行われることを防止するため、通出口１４の上方および右側方を覆うように前方に突出する庇部１７が形成されており、ガラス扉５を閉鎖したときに庇部１７の前方部分が下方枠部５２Ｕに覆われるようになっている。庇部１７の後方には係止金具の係止孔部４１ｃと係脱可能なピン状の係止突起部１７ａ，１７ｂが突出形成されている。
【００２４】
ここで、係止金具４１における保持杆部４１ａの長さ、及び二つの係止突起部１７ａ，１７ｂの形成位置は、開放保持させようとするガラス扉５の前枠２に対する開放角度に基づいて設定され、例えば、図４中に実線及び二点鎖線で示すように、係止孔部４１ｃを正面右側の係止突起部１７ａに係合させて張り渡したときに、ガラス扉５の開放角度が９０度となり、正面左側の係止突起部１７ｂに係合させて張り渡したときにガラス扉５の開放角度が１１０度（機構上の最大開き角度近傍の角度）となるように設定される。これにより、隣接するパチンコ機に対して順次ガラス板を装着するときや保守作業を行うとき等にはガラス扉を９０度の開放角度に係止保持させ、個別のパチンコ機ごとに釘調整を行うとき等には１１０度の開放角度で係止保持させるなど、作業目的に応じて２段階の開放角度で保持させることができる。なお、開放角度は他の角度に設定してもよく、また三以上設けて多段階の開放角度位置で係止保持可能に構成してもよい。
【００２５】
扉開放保持機構４０における第２開放保持機構４０Ｂは、ガラス扉５の背面に垂直面内に上下揺動可能に支持される固定金具４６を主体として構成される。固定金具４６は、帯板状のアーム部４６ａと、このアーム部４６ａの基端側に板面から垂直に延びてカシメ圧着された円筒状の揺動軸部４６ｂ、アーム部４６ａの先端側が揺動軸部４６ｂと反対方向に直角に折り曲げられて形成された固定片部４６ｃ、この固定片部に下方に開いて形成されたＵ字状のネジ係合溝４６ｄなどからなり、上記係止金具４１と同様の金属材料を用いて同様の加工手段により構成される。
【００２６】
固定金具４６が取り付けられる扉枠５１の背面側には、窓口側部の面材から後方に突出するボス５１ｂが一体に形成され、その後端側の中心部にネジを受容するネジ受容穴が形成されている。ボス５１ｂの突出高さは固定支持枠５２を支持する支持ボスやリブと同一高さに形成される一方、固定支持枠５２における左方枠部５２Ｌにはボス５１ｂの後端面を露出させて揺動軸部４６ｂの前端部を回動自在に嵌合支持する支持孔部５２ｈが形成されている。
【００２７】
また、ガラス扉５の閉鎖姿勢において扉枠５１の背後に位置する前枠２の前端面には、固定金具の固定片部４６ｃを当接支持する固定支持部２ｃが形成され、その中心部にネジ４８を受容するネジ受容穴が形成されている（図５を参照）。
【００２８】
固定金具４６は、揺動軸部４６ｂの前端部を左方枠部５２Ｌに形成された支持孔部５２ｈに嵌合させてボス５１ｂに当接させ、揺動軸部４６ｂの後方からネジ４７を挿通させてボス５１ｂのネジ受容穴に螺合させることにより、ガラス扉５の背面に垂直面内に揺動可能に支持される。
【００２９】
本実施例に示す固定金具４６はガラス扉５を９０度の開放角度で係止保持または固定保持可能に構成されており、アーム部４６ａの長さおよび固定支持部２ｃの形成位置は、ガラス扉５を９０度の開放角度に開放させた状態で、固定金具のアーム部４６ａが水平になるように上方から揺動させたときに、ネジ係合溝４６ｄがネジ４８のネジ軸部と係合し固定片部４６ｃがネジ頭部と固定支持部２ｃとの間に挟持されてガラス扉５を９０度の開放角度に係止保持し、この状態からネジ４８を締め込むと固定片部４６ｃが固定支持部２ｃにねじ固定されてガラス扉５を上記開放角度に固定保持するようになっている。なお、固定金具におけるアーム部４６ａの長さおよびアーム部４６ａに対する固定辺部４６ｃの折り曲げ角度を適宜設定することにより、他の開放角度、例えば前述した１１０度の開放角度でガラス扉５を係止保持ないし固定保持させるように構成することも可能である。
【００３０】
固定金具４６は、例えば図５中に二点鎖線で付記するように、先端の固定片部４６ｃが鉛直下方に位置して左方枠部５２Ｌに沿うように収容され、または先端の固定片部４６ｃが鉛直上方に位置して左方枠部５２Ｌに沿うように収容される。なお、固定支持部２ｃは固定片部４６ｃを当接支持する領域のみが前方に突出するように形成されており、９０度近傍の開放角度位置でアーム部４６ａを揺動させたときに固定片部４６ｃの前後の縁部が固定支持部２ｃ周辺の前枠と当接することなく、ネジ係合溝４６ｃを容易に係合させ得るようになっている。また、固定支持部２ｃを側断面視台形状に形成することにより上記効果をさらに向上させることも可能である。
【００３１】
このように構成される扉開放保持機構４０の作用について、ガラス扉５を９０度の開放角度に開放保持させる場合を例として説明すると、作業者は、合鍵を施錠装置４の錠部に嵌挿して、例えば反時計回りに回動操作することでガラス扉５のロックを解除し、浮き上がるようにして開いたガラス扉の扉枠５１の側縁に指をかけてガラス扉５を９０度近傍の開き角度に開放させる。
【００３２】
次いで、下方枠部５２Ｕの係止フック５２ｆ上に収容保持されている係止金具４１を手前に引き出すように水平旋回させて保持杆部４１ａの先端側を庇部１７上に導き、ガラス扉５の開き角度を微調整しながら保持杆部先端の係止孔部４１ｃを係止突起部１７ａに位置合わせして、これらを係合連結させる。これにより、係止金具４１が下方枠部５２Ｕと庇部１７との間に張り渡されて係止され、ガラス扉５が９０度の開放角度をもって開放状態に保持される。従って、以上のような係止金具４１の係合操作のみによって簡便にガラス扉５を開放状態に係止保持させることができる。
【００３３】
一方、より強固な開放保持を望む場合等には、上記係止金具４１によるガラス扉５の係止保持に加えて固定金具４６によるガラス扉５の係止保持または固定保持を行う。なお、固定金具４６の固定片部４６ｃが鉛直下方に位置して収容されている場合には、９０度を超える開放角度まで一度ガラス扉５を開いて固定金具４６を水平よりも上方の揺動角度位置に待避させておき、この待避状態で係止金具４１によるガラス扉５の係止保持または固定金具４６によるガラス扉５の係止保持作業を行う。これらの作業はいずれを先行して行ってもよいが、ここでは、固定金具４６を上方に待避させた状態で係止金具４１による係止保持を行ったものとして以降説明を続ける。
【００３４】
上述したように、係止金具４１における係止孔部４１ｃを係止突起部１７ａに係合させた状態では、ガラス扉５が既に９０度の開放角度をもって開放状態に保持されている。そこで、作業者は待避姿勢にある固定金具のアーム部４６ａを時計回りに揺動させてアーム部４６ａが水平になるように下動させる。すると、アーム部先端の固定片部４６ｃが固定支持部２ｃの上方から円弧軌跡をもって下動し、ネジ係合溝４６ｄがネジ４８のネジ軸部を受容するように係合して固定片部４６ｃがネジ頭部と固定支持部２ｃの支持面との間に進入し、これらの間に挟持されるように係合する。これにより、ガラス扉５が固定金具４６によって９０度の開放角度に係止保持される。さらに、このような係合状態からネジ４８を締め込むことにより固定片部４６ｃが固定支持部２ｃにねじ固定され、ガラス扉５が上記開放角度で固定保持される。従って、固定金具４６の係合操作によっても前述同様に簡便にガラス扉５を９０度の開放角度で係止保持させることができ、さらに、ネジ４８を閉め込むことでより強固に固定保持させることができる。
【００３５】
また、係止金具４１の揺動方向と固定金具４６の揺動方向とを直交する平面方向に設定しているため、外力に対する抗力を高めた扉開放保持機構を得ることができる。例えば、ガラス扉５の上部のみを前方に傾動させるような外力が作用して係止金具４１における保持杆部４１ａの先端側が浮き上がり、係止孔部４１ｃと係止突起１７ａとの係合が解除されるようなことがあっても、固定金具４６とネジ４８との係合が外れるようなことがなく、開放状態を安定して維持させることができる。
【００３６】
なお、例示した係止金具４１では、旋回軸部４１ｂに円盤状の座部を設けることで係止金具４１と下方枠部５２Ｕとの摺動面積を低減化させて滑らかに水平旋回可能に構成するとともに、ナット４２を前後ガラス溝の壁面間（溝間凹部５３ｇ）に配設してナット４２の緩みを防止しているが、このような座部を設ける代わりにまたは座部とともに、樹脂製のワッシャを雄ネジ部に係合させて保持杆部４１ａと下方枠部５２Ｕとの間に挟持させるように用いてもよい。また、雄ネジとナットとの係合連結に代えて、旋回軸部４１ｂにスリット状の溝を設けてＥリング等を用いて係合連結させ、あるいはリベット等の締結手段を用いて係合連結させてもよい（図１９を参照）。さらに、係止金具４１を前枠２側に水平旋回可能に支持させ下方枠部５２Ｕ側に係止突起等を設ける構成や、前枠側および下方枠部側双方に係止突起を設けて係止金具を係止させる構成としてもよい。
【００３７】
また、実施例では作図および説明上の便宜から、第１開放保持機構４０Ａと第２開放保持機構４０Ｂの両者をガラス扉５の下部に配設した例を示したが、第１または第２開放保持機構のいずれか一方を設ける構成としてもよく、両者を設ける場合には、第２開放保持機構４０Ｂを第１開放保持機構４０Ａと所定間隔離してガラス扉５の上部に配設し、あるいはガラス扉５の上下に複数設ける構成としてもよい。第１開放保持機構４０Ａと第２開放保持機構４０Ｂとをガラス扉５の上下に分けて配設する構成とすれば、ガラス扉５の上方に偏った外力が作用した場合であってもガラス扉５が捻り変形するようなことがなく、上下バランスよく外力に抗して開放状態を安定的に保持させることができる。また、第２開放保持機構４０Ｂを上下に複数設ける構成とすれば、支持バランスの良好さに加えて、衝撃的な外力に対してもより強固に開放状態を保持させる扉開放保持機構を得ることができる。
【００３８】
さて、以上のように開放保持されるガラス扉５に、ガラス板の着脱作業を容易化したガラス取付機構が設けられている。以下、図７〜図１２の各図を参照しながら第１実施例のガラス取付機構５０について説明する。ここで、図７はガラスアッセンブリを取り外した状態でガラス取付機構の概要構成を略示する全体図（背面図）、図８はガラス取付機構５０の主要部を分解状態で示す斜視図、図９および図１０はガラス取付機構５０における傾動支持機構を主として示す背面図および平断面図、図１１および図１２はガラス取付機構５０における係止保持機構を主として示す背面図および平面図である。なお、図７を除く各図ではガラス扉５における扉枠５１の記載を省略しており、既述した図３〜図６を適宜参照しながら説明する。
【００３９】
ガラス取付機構５０は、中央部に前後開口する窓口５１ａを有して外郭方形状に一体成型された扉枠５１の背面側に設けられており、窓口５１ａの周囲を取り囲むように扉枠５１にねじ固定された固定支持枠５２、前後２枚のガラス板５４の外周縁部と係合してこれらのガラス板を所定の間隔をおいて保持し一体のガラスアッセンブリ５５を形成させる保護フレーム５３、扉枠５１の下部に設けられて扉枠の背面側から受容したガラスアッセンブリ５５と係脱可能に係合してガラスアッセンブリ５５を前後に傾動可能に支持する傾動支持機構（支軸ピン５２ｂ，支軸係合溝５５ｂ等）、ガラスアッセンブリ５５が上方に起立されて窓口５１ａを塞ぐ起立角度位置に位置したときにガラスアッセンブリ５５を仮止めする仮止め機構（仮支持アーム５２ｇ，溝間凹部５３ｇ等）、および扉枠５１の上部に設けられて起立角度位置に位置したガラスアッセンブリ５５と係脱可能に係合し当該ガラスアッセンブリを起立角度位置に係止させるとともにガラスアッセンブリ５５の上動を規制する係止保持機構（ヒンジプレート５６，係止保持プレート５７，ローレットネジ６１等）などから構成される。
【００４０】
固定支持枠５２は、それぞれＬ字状に曲げ成形されて後方に延びる支持面と扉枠５１の背面に沿って下方または左右の外方に延びる取付面とが形成された下方枠部５２Ｕ、左方枠部５２Ｌおよび右方枠部５２Ｒからなり、各枠部が既述した係止金具と同様の加工手段により部材ごとに図示する形状に板金加工された後、下方枠部５２Ｕの左右側端部に左右枠部５２Ｌ，５２Ｒがスポット溶接やリベット等の接合手段により接合されて上方が開いた枠形状に形成され、窓口５１ａの周囲を取り囲むように扉枠５１の背面にねじ固定される（図３〜図６を併せて参照）。これにより扉枠５１の背面に強固な支持枠が形成され、保護フレーム５３に保護された前後のガラス板５４が安定に支持されるとともに、保護フレーム５３の装着の有無にかかわらず扉枠５１を補強する補強枠としても機能し、ガラスアッセンブリ５５の着脱時を含めて扉枠５１の撓み変形等が抑制される。なお、ガラスアッセンブリ５５を支持する支持枠と扉枠５１を補強する補強板とを別体として設けてもよい。
【００４１】
下方枠部５２Ｕの支持面には、支持面の一部が切り起こされて上方に突出する左右２カ所の支軸フランジ５２ａが形成され、各支軸フランジ５２ａにそれそれ左右内側に向けて水平に延びる支軸ピン５２ｂが固着されている。なお支軸フランジ５２ａの切り起こし形態は、図８に示すようにフランジ面を外側に切り起こす形態、図９および図１０に示すようにフランジ面を内側に切り起こす形態、あるいはこれら両者を併用する形態のいずれであってもよいが、左右の支軸ピン５２ｂがともに内向きまたは外向きに固着され、後述する左右の支持片５５ａと左右の支軸フランジ５２ａのフランジ面との係合によりガラスアッセンブリ５５が左右方向に位置決めされるように構成することが好ましい。このような構成により、支軸フランジ５２ａと支持片５５ａとを係合させて支軸ピン５２ｂに支持させるだけでガラスアッセンブリ５５を上下方向および左右方向に位置決めさせることができる。
【００４２】
左方枠部５２Ｌおよび右方枠部５２Ｒにおける支持面の下方には、ローレットネジ６１のネジ部外径と略同径の支持孔が穿設されるとともに、その外側に雌ネジが形成されてローレットネジ６１を螺合支持する補強パッド５２ｃが固着されており、補強パッド５２ｃによりネジの嵌合長さを確保するとともに支持孔内壁面でローレットネジの外周面を支持し、ネジ直交方向に作用する押圧力に対する耐性を高めた構成になっている。
【００４３】
左右枠部５２Ｌ，５２Ｒにおける支持面の上方には、前方および上下辺が支持面から切り離されて左右方向に弾性変位可能な仮支持アーム５２ｇが形成されている。仮支持アーム５２ｇは、図１２中に部分断面図を示すように、アーム部の基端側が固定支持枠５２の枠部内方に折り曲げられて枠内に斜めに突出する傾斜辺部と、突出したアーム部の先端側が左右外方に折り返されて取付面と平行に枠部外方に突出する係止辺部とからなり、左方枠部５２Ｌ、右方枠部５２Ｒの部材加工時にこれら枠部と一体に形成される。係止辺部は後述する保護フレームの溝間凹部５３ｇの配接位置に合わせて形成されており、ガラスアッセンブリ５５を固定支持枠５２に係合支持させて窓口５１ａを塞ぐように鉛直上方に起立させたときに、アーム先端部が保護フレーム５３の溝間凹部５３ｇに突出してガラスアッセンブリ５５を起立角度位置に仮止め支持可能に形成されている。
【００４４】
また、左右枠部５２Ｌ，５２Ｒにおける支持面の上端部には後述する係止保持プレート５７の固定片部５７ｃに螺合されるローレットネジ６４の揺動軌跡に合わせて溝底部に向けて先細り形態に切り欠かれた固定支持溝５２ｄが形成されており、ローレットネジ６４を容易確実に溝内に受容するとともに、溝底部でガタなく強固に係合支持する。
【００４５】
一方、上記固定支持枠５２に支持されるガラスアッセンブリ５５は、前後２枚のガラス板５４と、これらのガラス板５４の外周縁部と係合してガラス板を保護するとともに、前後のガラス板を所定の間隔を保持して一体のアッセンブリ化させる保護フレーム５３とを主体に構成される。
【００４６】
保護フレーム５３は、内周側にガラス板５４を受容支持する前後２列のガラス溝５３ａを有して外郭方形のフレーム状形態をなし、上下あるいは左右に分割された保護フレーム部材のガラス溝にガラス板５４を係合させてシリコーン系接着剤等で接着することにより、図７に示すようにガラス板５４の外周全体を取り囲むように接合され、一体のガラスアッセンブリ５５が形成される。保護フレーム部材は例えばＡＢＳ樹脂やポリプロピレン、ポリアミドなど比較的軟質の樹脂材料を用いて射出成型等の成形手段により形成される。
【００４７】
前後のガラス溝５３ａ，５３ａは、前後の溝間を所定間隔に保持するスペーサ部を挟んで、それぞれガラス板５４の外周縁部を覆う断面視凹型のレール状に形成され、前方ガラス溝の前面側および後方ガラス溝の背面側には、それぞれの溝内に収容されたガラス板５４の前面および背面を保護する前方の保護シート面５３ｓおよび後方の保護シート面５３ｔが形成されている。このため、前後２枚のガラス板５４，５４がスペーサ部を挟んで所定間隔を保持して平行に支持されるとともに、前後面を含む上下左右の外周縁部全体が比較的軟質の樹脂製の保護フレーム５３に包み込まれるように保持され、ガラスアッセンブリ５５が固定支持枠に係合支持された後のみならず、ガラスアッセンブリ５５の運搬時や着脱作業時などを含めて機械的損傷から保護される。
【００４８】
また、前方の保護シート面５３ｓにおける角部は窓口５１ａの開口部よりも幾分大きめの半径を有したＲ状に延出され、後方の保護シート面５３ｔおよびスペーサ部の角部は窓口５１ａの開口部よりも幾分外側を通るコーナ枠状に延出および膨出成型されている。このため、ガラスアッセンブリ５５を鉛直上方に起立させて係止させたときに、前方のガラス板５４を窓口５１ａの開口背面に密着させて不正行為可能な隙間を生じさせることなく配設できるとともに、窓口正面側からの視認性を悪化させることなくガラス板５４の支持面積を増大させてガラス板５４が安定支持されるようになっている（図７、図１０および図１１を参照）。
【００４９】
保護フレーム５３の外周側には、フレーム内方に膨出成型されたスペーサ部に対応して凹状に窪む溝間凹部５３ｇが形成され、この溝間凹部に前後の壁面を繋いで補強用のリブ５３ｄが適宜な間隔をおいて形成されている。これにより単純枠組み構成に比べて保護フレームを軽量化しながらフレーム剛性を向上させ、保護フレーム５３の捻り変形を抑制している。
【００５０】
保護フレーム５３の下辺には、下方枠部５２Ｕの支軸フランジ５２ａと位置整合して支軸片５５ａが形成され、この支軸片５５ａに支軸ピン５２ｂと係脱可能に係合するＵ字溝状の支軸係合溝５５ｂが形成されている。図１４（Ａ）にガラスアッセンブリ５５を固定支持枠５２に支持させる直前状態の側断面図を示し、図１４（Ｂ）にガラスアッセンブリ５５を起立角度位置に起仰させた状態の側断面図を示すように、支軸片５５ａは溝間凹部から下方に突出して形成されており、ガラスアッセンブリ５５を固定支持枠５２の背後から斜め下方に挿入したときに、支軸係合溝５５ｂを支軸ピン５２ｂに容易に係合させ得るようになっている。なお、支軸片５５ａは薄片リブ形態のものを例示したが、その形態はブロック状であってもよく、また補強用のリブ５３ｄと兼用する形態であってもよい。
【００５１】
また、保護フレーム５３の下辺では、前方の保護シート面５３ｓが延出されて下方に突出する支持辺部５３ｅが形成されており、ガラスアッセンブリ５５を起立角度位置まで起仰させたときに支持辺部５３ｅが下方枠部５２Ｕの支持面に当接して支持され、ガラスアッセンブリ５５の荷重が支持片部５３ｅおよび左右の軸受片５５ａを介して固定支持枠５２に支持されるようになっている。一方、後方の保護シート面５３ｔは前方の保護シート面５３ｓよりもさらに下方に延出されて下方に突出する延出辺部５３ｆが形成されるとともに、下方枠部５２Ｕの支持面の後端側が延出辺部５３ｆの板厚よりも幾分短く形成されており、起立角度位置において延出部５３ｆが支持面の後端部を覆うように下方に延びて配接される。このような下部保護フレーム５３の構成により、窓口５１ａの前面側から下方枠部５２と下部保護フレーム５３との隙間に針金や薄板を挿入して遊技盤２０に悪戯するような不正行為を効果的に防止することができる。なお、同様の延出辺部を保護フレーム５３の左右辺部に設けて上記効果をさらに向上させることも可能である。
【００５２】
保護フレーム５３の左右辺における下方の溝間凹部には、ガラスアッセンブリ５５を起立角度位置に位置させたときに、左右枠部に固着された補強パッド５２ｃの雌ネジと位置整合する円筒状のボスが形成され、その中心にローレットネジ６１の先端部を受容するネジ受容穴５３ｃが形成されている。また保護フレーム５３の左右辺における上方の溝間凹部には、ガラスアッセンブリ５５を起立角度位置に位置させたときに、仮支持アーム５２ｇにおける傾斜辺部および係止辺部の下縁と位置整合して係合可能な係止リブ５５ｃが形成されている。このため、ガラスアッセンブリ５５を起立角度位置まで傾動させたときに、溝間凹部５３ｇの後ろ向き面が仮支持アーム５２ｇの係止面と係合してガラスアッセンブリ５５の前後方向への傾動が規制され、係止リブ５５ｃの上面が仮支持アーム５２ｇの下縁と係合してガラスアッセンブリ５５の上下方向への移動が規制されるようになっている。
【００５３】
一方、扉枠５１における窓口５１ａの上部に係止保持機構が設けられている。本実施例に示す係止保持機構は、窓口５１ａの上部に扉枠５１の補強を兼ねてネジ固定されたヒンジプレート５６と、このヒンジプレート５６に上下揺動可能に枢結された係止保持プレート５７とを主体として構成される。ヒンジプレート５６には扉枠５１にネジ固定されたプレート部から下方に突出し、先端がカーリング成形されて中心に軸受孔が形成された固定ヒンジ部５６ｂが左右に所定間隔をおいて２カ所形成されている。
【００５４】
係止保持プレート５７には、左右に延びて形成された平板状のプレート部５７ａ、プレート部５７ａから上記固定ヒンジ部５６ｂの左右形成位置に合わせて前方に突出し、その前端部が固定ヒンジ部５６ｂと同様にカーリング成形されて軸受孔が形成された揺動ヒンジ部５７ｂ、プレート部５７ａの左右端部が先端凸の半円形に成形されるとともに下方に折り曲げられて形成された固定片部５７ｃ、プレート部５７ａから後方に突出しその後端部が下方に折り曲げられて形成された傾動防止片部５７ｄなどからなり、固定支持枠５２と同様の金属材料を用いて同様の加工手段により形成される。
【００５５】
係止保持プレート５７は、左右の揺動ヒンジ部５７ｂを左右の固定ヒンジ部５６ｂの両側方に位置させて、両ヒンジ部の軸受孔が連通するように位置合わせし、揺動ヒンジ部５７ｂの軸受孔に左右外側から枢結ピン６２を挿通させて、固定ヒンジ部５６ｂの内側に突出した枢結ピン６２の先端部にＥリング６３を嵌着させることで、ヒンジプレート５６に上下揺動可能に枢結される。
【００５６】
図１３（Ａ）（Ｂ）に、ガラスアッセンブリ５５の支軸係合溝５５ｂを支軸ピン５２ｂに係合させてガラスアッセンブリ５５を起立角度位置に傾動させる過程と、起立角度位置に位置させて係止保持プレート５７を閉鎖したときの、固定支持枠５２、保護フレーム５３および固定片部５７ｃの相対的な位置関係を側面図（部分断面図）として示す。
【００５７】
図１１、図１２および図１３の各図に示すように、係止保持プレート５７における固定片部５７ｃの形成位置および幅寸法は、ガラスアッセンブリ５５を起立角度位置に位置させて係止保持プレート５７を上下に揺動させたときに、左右固定片部５７ｃの円弧状先端部が保護フレーム５３上辺の溝間凹部における左右側端位置に係脱自在に係合してガラスアッセンブリ５５の前後方向位置および左右位置を位置決めするとともに、固定片部５７ｃに螺合されたローレットネジ６４のネジ軸部が左右枠部５２Ｌ，５２Ｒの固定支持溝５２ｄと係脱自在に係合し、ローレットネジ６４を締め込むことにより保護フレーム５３の左右上端部がそれぞれ固定片部５７ｃと左右枠部の支持面との間に挟持されてガラスアッセンブリ５５が固定されるように設定される。
【００５８】
また、左右の傾動防止片部５７ｄは、上記のように係止保持プレート５７を上下揺動させたときに、傾動防止片部５７ｄの先端内面が保護フレーム５３後方の保護シート面５３ｔと係脱自在に係合し、ガラスアッセンブリ５５を起立角度位置に係止保持し得るように設定される。プレート部５７には後方に突出する舌片状の操作片部５７ｍが設けられており、係止保持プレート５７の揺動操作を容易に行えるようになっている。なお、傾動防止片部５７ｄの下端部を緩く後方に折り曲げ成形して保護フレーム５３の上端角部と滑らかに係合するように構成してもよい。
【００５９】
さて、以上のように各部構成されるガラス取付機構５０を利用してガラスアッセンブリ５５を装着し係止保持させる場合の作用について、図１３および図１４を主として参照しながら説明する。
【００６０】
作業者は、前述した扉開放保持機構４０を利用してガラス扉５を例えば９０度の開放角度に固定保持させておく。これにより、ガラスアッセンブリ５５の着脱作業時に作用する外力でガラス扉５が揺動してしまうようなことがなく、安定した開放姿勢でガラスアッセンブリの着脱作業を行うことができる。
【００６１】
また、左方枠部５２Ｌおよび右方枠部５２Ｒの補強パッド５２ｃに螺合されたローレットネジ６１を緩め、ネジ先端部が左右枠部５２Ｌ，５２Ｒの内側に突出しない位置に待避させておく。そして、ガラスアッセンブリ５５を固定支持枠５２の背面側から斜めに枠内に挿入し、保護フレーム下辺の支軸係合溝５５ｂを下方枠部５２Ｕの支軸ピン５２ｂに係合させてガラスアッセンブリ５５を支持させる。
【００６２】
次いで、保護フレーム５３の上部を前方に押圧してガラスアッセンブリ５５を支軸ピン５２ｂまわりに揺動させ、ガラス板５４が窓口５１ａの背後を覆うように上方に起立した起立角度位置まで傾動させる。このとき、仮支持アーム５２ｇの傾斜辺部が保護フレーム５３の前縁部に押圧されて弾性変形し、一旦、左右外方に待避して保護フレーム５３の進入を許容する一方、ガラスアッセンブリ５５が起立角度位置まで傾動されると、この角度位置で位置整合する保護フレームの溝間凹部５３ｇに自己復帰して突出し、係止辺部の前面が溝間凹部５３ｇの後ろ向き壁面と係合するとともに、傾斜辺部および係止辺部の下縁が係止リブ５５ｃの上面と係合する。
【００６３】
これにより、ガラスアッセンブリ５５は前後方向への傾動および上下方向への移動が規制され、上記起立角度位置に仮止めされる。このため、作業者が保護フレーム５３を支えていなくても、ガラスアッセンブリ５５が倒れ出てきたり、支軸ピン５２ｂと支軸係合溝５５ｂとの係合が外れてガラスアッセンブリが固定支持枠５２から脱落したりするようなことがなく、作業者はガラスアッセンブリ５５を仮止め支持させた状態で保護フレーム等から手を離して次の作業に移ることができる。
【００６４】
そこで、作業者は上方に待避させていた係止保持プレート５７を枢結ピン６２まわりに下方に揺動させ、保護フレーム５３の上部を覆うように閉鎖させる。このとき、係止保持プレートの固定片部５７ｃに螺合されたローレットネジ６４のネジ軸部が左右枠部５２Ｌ，５２Ｒの固定支持溝５２ｄに進入して係合するとともに、左右の固定片部５７ｃの先端部が保護フレーム上辺の溝間凹部の左右側端位置に係合し、ガラスアッセンブリ５５を前後方向および左右方向に位置決めする。また、傾動防止片部５７ｄが保護フレーム後方の保護シート面５３ｔと係合し、保護フレーム５３の背面側を支持する。
【００６５】
この状態で、作業者が左右のローレットネジ６４を締め込むと、保護フレーム５３の左右辺上端部がそれぞれ固定片部５７ｃと左右枠部５２Ｌ，５２Ｒとの間に挟み込まれるように固定され（図１１および図１２を参照）、ガラスアッセンブリ５５が起立角度位置に固定されるとともに、ガラスアッセンブリ５５の上下移動が規制される。さらに、左右枠部５２Ｌ，５２Ｒのローレットネジ６１を締め込んで、ネジ先端部を保護フレームのネジ受容穴５３ｃに係合させることにより、保護フレーム５３の下部においてもガラスアッセンブリ５５の前後傾動および上下動が規制され、ガラスアッセンブリ５５が固定支持枠５２に強固に固定保持される。
【００６６】
こうしてガラスアッセンブリ５５が起立角度位置に固定保持されると、保護フレーム５３の外周全域が固定支持枠５２および係止保持プレート５７に取り囲まれるように扉枠５１に固定保持され、扉枠５１の前面側からガラス板５４を上下に移動させようとする押圧力や倒伏させようとする押圧力が作用しても、上記した仮支持アーム５２ｇ、係止保持プレート５７、ローレットネジ６１等の規制効果により、各方向への押圧力に抗してガラスアッセンブリ５５が起立角度位置に係止保持される。このように、本構成のガラス取付機構では、仮止め状態に支持されたガラスアッセンブリ５５に係止保持プレート５７を閉止固定するだけでガラスアッセンブリ５５を位置決めおよび固定保持させることができ、また左右のローレットネジ６１を締め付けることで、さらに強固にガラスアッセンブリを固定保持させることができる。
【００６７】
従って、以上説明したようなガラス取付機構５０によれば、前後のガラス板５４が保護フレーム５３部材に係合保持されて一体のガラスアッセンブリ５５が形成され、ガラス板５４の前後面を含む外周縁部全体が保護されるため、ガラス板５４の装着時のみならずガラスアッセンブリ５５の運搬時や着脱作業時等においてもガラス板が機械的損傷から保護される。また、このように一体化されたガラスアッセンブリ５５がガラス扉５の扉枠の下部に設けられた傾動支持機構により、ガラス扉５の背面側から着脱可能に支持されるため、前後２枚のガラス板を一工程で扉枠に着脱させることができるうえ、遊技機が設置されてガラス扉の上辺部が高所に位置していたとしても扉枠の背面側から低い作業位置でガラス板の着脱作業を行うことができ、背の低い作業者や非熟練作業者であっても容易かつ安全にガラス板の着脱作業を行うことができる。
【００６８】
さらに、傾動支持機構に支持された状態のガラスアッセンブリ５５を前方に押圧して上方に起仰させるだけでガラスアッセンブリ５５が窓口５１ａを塞ぐ起立角度位置に仮止めされるため、ガラスアッセンブリ５５の荷重を支持しながら位置合わせをしたり、片手でガラスアッセンブリ５５を支えながら固定操作する等の必要がなく、ガラス板の着脱作業を全体的に容易化して作業性が良好なガラス取付機構を構成することができる。
【００６９】
図１５および図１６は、ガラス取付機構５０における仮支持アームおよびローレットネジ取付部の変更例を、分解斜視図および各部の平断面図として示したものである。これらの構成について簡単に説明すると、本実施例では、仮支持アームおよびローレットネジ取付部が左右の枠部５２Ｌ，５２Ｒとは別体に、一つの（あるいは各個別の）ベース部材６５に形成され、こうして形成された支持構造体が左右の枠部にスポット溶接やリベット等の接合手段で固着された形態のものである。
【００７０】
ローレットネジ取付部では、ベース部材６５に既述したと同様の補強パッド５２ｃが固着され、ベース部材６５および左右の枠部５２Ｌ，５２Ｒには補強パッドの雌ネジ部と同軸上に位置してローレットネジ６１のネジ部外径と略同径の支持孔が穿設されている。このため、補強パッド５２ｃによりネジの嵌合長さを確保するとともに、ベース部材６５および左右枠部に形成された支持孔の内壁面でローレットネジ６１の外周面を支持し、ネジ直交方向に作用する押圧力に対する耐性をさらに高めた構成になっている。
【００７１】
一方、本実施例の仮支持アーム６６は、ベース部材６５の上部が打ち抜きおよび曲げ加工されて薄片アーム状の形態をなし、図１６（Ｂ）に平断面図を示すように、ベース部後方から斜め前方に延びる傾斜辺部６６ａ、傾斜辺部６６ａの先端側が折り返されて固定支持枠の取付面と平行に左右外方に延びる係止辺部６６ｂ、および係止辺部６６ｂの先端が後方に屈曲されて形成されたつまみ部６６ｍなどからなり、傾斜辺部６６ａの先端側が左右枠部に形成された開口部６５ｃから枠部内方に斜めに突出して左右に弾性変位可能に左右枠部５２Ｌ，５２Ｒに固着される。係止辺部６６ｂの前後方向の配接位置、仮支持アーム下縁の配接位置は、前述した仮支持アーム５２ｇと同様に、保護フレーム５３における溝間凹部５３ｇの配接位置、ならびに係止リブ５５ｃの形成位置に合わせて設定されている。
【００７２】
このため、ガラスアッセンブリ５５の支軸係合溝５５ｂを固定支持枠５２の支軸ピン５２ｂに係合支持させて窓口５１ａを塞ぐようにガラスアッセンブリ５５を上方に起立させたときに、仮支持アームの傾斜辺部６６ａが保護フレーム５３の前縁部に押圧されて弾性変形し、一旦、左右外方に待避して保護フレーム５３の進入を許容する一方、ガラスアッセンブリ５５が起立角度位置まで傾動されると、仮支持アーム６６の前方角部が保護フレームの溝間凹部５３ｇに自己復帰して突出し、係止辺部６６ｂの前面が溝間凹部５３ｇの壁面と係合するとともに、傾斜辺部６６ａおよび係止辺部６６ｂの下縁が係止リブ５５ｃと係合する。これにより、ガラスアッセンブリ５５は前後方向への傾動および上下方向への移動が規制され、上記起立角度位置に仮止めされる。
【００７３】
従って、作業者が保護フレーム５３を支えていなくても、ガラスアッセンブリ５５が倒れ出てきたり、支軸ピン５２ｂと支軸係合溝５５ｂとの係合が外れてガラスアッセンブリ５５が固定支持枠５２から脱落したりするようなことがなく、作業者はガラスアッセンブリ５５を仮止め支持させた状態で保護フレーム等から手を離して次の作業に移ることができる。
【００７４】
また、上記のような構成によれば、左右の枠部５２Ｌ，５２Ｒを切り起こし成形して仮支持アームを形成する場合に比べて、アーム長さや曲げ形状を任意に設定することができ、例えば、図示したようにつまみ部６６ｍを形成することで、仮支持アーム６６の左右外方への引き出し操作を容易化してガラスアッセンブリ５５の仮止め状態を容易に解除可能に構成することができる。さらに、左右の枠部における切り起こし開口の前後方向寸法を抑制するとともに、ベース部材６５の固着による補強効果を持たせることができ、不正操作等に基づく押圧力等に対する耐力を高めたガラス取付機構を得ることができる。
【００７５】
なお、以上の実施例では、左右の枠部に補強パッド５２ｃを固着してローレットネジ６１を螺合支持させる例を示したが、雌ネジ部は左方枠部または右方枠部にバーリング加工で形成してもよく、あるいは雌ネジが形成された段付きカラーを圧入固定し、または溶接スタッド、溶接ナット等を溶着して形成してもよい。また、ローレットネジ６１に代えてネジ受容部５２ｃと係脱可能なロッドを突出位置と待避位置とで係止可能なインデックスプランジャを用いてもよい。あるいは、図１４（Ｂ）中に二点鎖線で付記するように、左右枠部５２Ｌ，５２Ｒに後方に開いてローレットネジ６１を受容可能なネジ受容溝５２ｉを形成し、ネジ受容穴５３ｃにローレットネジ６１を螺合させたガラスアッセンブリ５５を後方から傾動させてローレットネジ６１をネジ受容溝５２ｉに係合させ、これを締め込むことにより左右枠部を挟持させて固定するように構成してもよい。
【００７６】
また、実施例ではガラスアッセンブリ５５が鉛直上方に起立された起立角度位置で仮止めされる形態を例示したが、仮止め姿勢は起立角度位置と完全に同一でなくてもよく、例えば、鉛直上方から数度程度の範囲内で仮止め支持する構成であってもガラス着脱の作業性を改善したガラス取付機構を得ることができる。
【００７７】
次に、第２実施例のガラス取付機構７０について、図１７〜図２４の各図を参照しながら説明する。ここで、図１７および図１８はガラス取付機構７０の主要部を分解状態で示す斜視図および側面図、図１９および図２０はガラス取付機構７０における傾動支持機構を主として示す背面図および平断面図、図２１（Ａ）（Ｂ）は仮止め機構および係止保持機構の作用を示す側面図、図２２（Ａ）（Ｂ）は傾動支持機構の作用を示す側面図、図２３および図２４は係止保持機構の作用を示す背面図および平断面図である。なお、扉枠５１や固定支持枠の基本的な構成は既述したガラス取付機構５０と同様であるため同様の構成部分に同一番号を付して重複説明を省略し、ガラス取付機構５０と異なる部分の構成を中心に詳細説明する。
【００７８】
ガラス取付機構７０は、窓口５１ａの周囲を取り囲むように扉枠５１にねじ固定された固定支持枠７２（７２Ｕ，７２Ｌ，７２Ｒ）、前後２枚のガラス板５４を所定の間隔をおいて保持し一体のガラスアッセンブリ７５を形成させる保護フレーム７３、扉枠５１の下部に設けられて扉枠の背面側から受容したガラスアッセンブリ７５と係脱可能に係合してガラスアッセンブリを前後に傾動可能に支持する傾動支持機構（支軸７２ｂ，支軸係合溝７５ｂ）、ガラスアッセンブリ７５が起立角度位置に位置したときにガラスアッセンブリ７５を仮止めする仮止め機構（支持シャフト７６、仮止めロッド７７）、および固定支持枠７２の左右側部に設けられて起立角度位置に位置したガラスアッセンブリ７５と係脱可能に係合し当該ガラスアッセンブリを起立角度位置に係止させる係止保持機構（ロックアーム７８，ローレットネジ６１等）などから構成される。
【００７９】
固定支持枠７２は、それぞれＬ字状に曲げ成形されて後方に延びる支持面が形成された下方枠部７２Ｕ、左方枠部７２Ｌおよび右方枠部７２Ｒからなり、各枠部材が既述した固定支持枠５２と同様の加工手段により図示する形態に加工形成されたのち、窓口５１ａの周囲を取り囲むように扉枠５１の背面にねじ固定される。
【００８０】
下方枠部７２Ｕの支持面は、左右側端の後方部分が一部切り欠かれて、左右枠部７２Ｌ，７２Ｒの支持面との間に上下に連通する溝状の開口７２ａが形成されており、後述する保護フレームの軸受フランジ７５ａを挿通可能になっている。一方、左方枠部７２Ｌおよび右方枠部７２Ｒの支持面は、下方枠部７２Ｕの支持面よりも下方に延びて形成されており、上記開口の下方に位置して左右枠部の支持面から各左右内方に突出する支軸７２ｂが固着されている。また、左右枠部７２Ｌ，７２Ｒには既述したと同様の補強パッド５２ｃが固着されてネジ直交方向に作用する押圧力に対する耐性を高めた構成になっている。
【００８１】
左右枠部７２Ｌ，７２Ｒにおける取付面には、扉枠５１に一体成型されて後方に突出する円筒状の支持ボス５１ｃを挿通させる円孔が穿設され、支持面にはこの支持ボス５１ｃに揺動自在に支持されるロックアーム７８およびガラスアッセンブリにおける固定フランジ７５ｄの揺動軌跡に合わせて、これらを導入する切り欠き部７２ｃが形成されている。また、左右枠部７２Ｌ，７２Ｒにおける支持面の上端部には、後述する支持シャフト７６のネジ部を受容係合可能なＵ字状の固定支持溝７２ｄが上方に開いて形成されている。
【００８２】
上記固定支持枠７２に支持されるガラスアッセンブリ７５は、前後２枚のガラス板５４と、これらのガラス板５４の外周縁部と係合してガラス板を保護するとともに、前後のガラス板を所定の間隔を保持して一体のアッセンブリ化させる保護フレーム７３とを主体に構成される。保護フレーム７３は内周側にガラス板５４を受容支持する前後２列のガラス溝５３ａ、前後の溝間を所定間隔に保持するスペーサ部、前方ガラス溝の前面側および後方ガラス溝の背面側に設けられて収容されたガラス板５４の前面および背面を保護する前後の保護シート面５３ｓ，５３ｔなどを有して外郭方形のフレーム状に形成され、前述した保護フレーム５３と略同様に形成される。
【００８３】
保護フレーム７３の左辺および右辺は、その下端部が延出されて下方に突出する軸受フランジ７５ａが形成され、この軸受フランジ７５ａに固定支持枠側の支軸７２ｂと係脱可能なＵ字状の支軸係合溝７５ｂが形成されている。このため、図２２　（Ａ）にガラスアッセンブリ７５を固定支持枠７２に取り付ける際の装着状況を示し、固定支持枠に係合支持させたガラスアッセンブリ７５を起立角度位置に起仰させた状態を図２２（Ｂ）に示すように、ガラスアッセンブリ７５を固定支持枠７２の背後から斜め下方に挿入することで、支軸係合溝７５ｂを支軸７２ｂに容易に係合させ得るようになっている。
【００８４】
保護フレーム７３の下辺では、前方の保護シート面５３ｓが延出されて下方に突出する支持辺部５３ｅ′が形成されており、ガラスアッセンブリ７５を起立角度位置まで起仰させたときに支持辺部５３ｅ′が下方枠部７２Ｕの支持面の前端角部に係合して支持され、ガラスアッセンブリ７５の荷重が支持片部５３ｅ′および左右の軸受フランジ７５ａを介して固定支持枠に支持されるようになっている。また、後方の保護シート面５３ｔは前述したと同様の延出辺部５３ｆが形成されており、ガラスアッセンブリ７５を起立角度位置位置させたときに、支持辺部５３ｅ′および延出部５３ｆが支持面の前後を覆うように配接される。これにより窓口５１ａの前面側から下方枠部５２と保護フレーム７３との隙間に針金や薄板を挿入して遊技盤２０に悪戯するような不正行為を効果的に防止することができるとともに、前後方向への押圧力に対する耐力をさらに向上させることができる。
【００８５】
保護フレーム７３の左右辺における下方の溝間凹部には、ガラスアッセンブリ７５を起立角度位置に位置させたときに補強パッド５２ｃの雌ネジと位置整合する円筒状のボスが形成され、その中心にローレットネジ６１の先端部を受容するネジ受容穴５３ｃが形成されている。また保護フレーム７３の左右辺における上方には、ガラスアッセンブリ５５を起立角度位置に位置させて後述するロックアーム７８の先端部を溝間凹部に係合させたときに、ロックアーム７８を挟持固定する固定フランジ７５ｄが溝間凹部５３ｇの前後にそれぞれ左右側方に張り出して形成されており、前後の固定フランジ７５ｄ，７５ｄ間を結ぶようにロックネジ８１が螺合されている。
【００８６】
一方、窓口５１ａの左右に、上記固定フランジ７５ｄと位置整合してロックアーム７８が取り付けられ係止保持機構が構成される。ロックアーム７８は、扉枠５１から後方に突出して成型された支持ボス５１ｃに嵌合して支持ボス５１ｃの軸周りに回動可能に支持される円筒状のカラー部７８ａと、このカラー部７８ａから軸直交方向に突出する板状のアーム部７８ｂ、アーム部７８ｂに形成されて起立角度位置にあるガラスアッセンブリ７５の固定ネジ８１と係合可能な円弧形態の係止溝７８ｃ、アーム部７８ｂの基端側に形成された操作つまみ部７８ｍ等からなり、例えば、ガラス繊維を添加したＡＢＳ樹脂やポリアセタール等の樹脂材料を用いて射出成型等の成形手段で形成される。ロックアーム７８はカラー部７８ａを支持ボス５１ｃに係合させて、カラー部７８ａの後方からネジ８２を挿通させて支持ボス５１ｃに螺合締結することで、支持ボス５１ｃの軸まわりに回動可能に取り付けられ、アーム部７８ｂが上下揺動可能に支持される。
【００８７】
ロックアーム７８におけるアーム部７８ｂの厚さは、保護フレーム７３に形成された溝間凹部５３ｇの溝幅よりもわずかに小さめに設定されるとともに、その前後方向の形成位置は、ガラスアッセンブリ７５を起立角度位置に位置させた時の溝間凹部の前後方向位置と整合して形成されており、ガラスアッセンブリ７５を起立角度位置に位置させた状態でロックアーム７８を枠部内方に揺動させたときに、アーム先端部が溝間凹部５３ｇに嵌入するように形成されている。また、アーム部７８ｂのアーム長さおよび先端部の形状は、上記のようにロックアームの先端部を溝間凹部５３ｇに嵌入させたときに、先端面が溝間凹部５３ｇの溝底面と滑らかに係合し、係止溝７８ｃの溝頂部がロックネジ８１と係合してアーム部７８ｂが水平になるまで揺動させたときに、先端面が溝間凹部５３ｇの溝底面をわずかに枠部内方に押圧するように形成されている。
【００８８】
このような構成により、ガラスアッセンブリ７５を起立角度位置に位置させて、左右のロックアーム７８をそれぞれのアーム部７８ｂが水平になる角度位置まで揺動させたときに、アーム部先端が溝間凹部５３ｇ内に嵌入して左右内側に緩く押圧するように係合し、ガラスアッセンブリ７５を前後方向および左右方向に位置決めして係止する。そして、この状態でロックネジ８１を締め込むことで、アーム部７８ｂが溝間凹部５３ｇに挟持固定されガラスアッセンブリ７５が起立角度位置に係止保持される。また、ネジ８２を締め込むことでさらに強固に係止保持させることができる。
【００８９】
一方、窓口５１ａの上部には、ガラスアッセンブリ７５を起立角度位置に仮止め支持する仮止め機構が設けられている。本実施形態の仮止め機構は左方枠部７２Ｌと右方枠部７２Ｒの上端部間を結んで固定される支持シャフト７６と、この支持シャフト７６の軸まわりに回動可能に支持される仮止めロッド７７とを主体として構成される。
【００９０】
支持シャフト７６は、左右に延びる支軸部の両端が左右枠部７２Ｌ，７２Ｒの支持面間隔に合わせて小径に段落としされ、その両端部にネジ部が形成された段付きシャフト状の形態をなし、支軸部に仮止めロッド７７の左右方向長さに合わせたスナップリング溝（詳細図示省略する）が形成されて構成される。支持シャフト７６は、例えば、所定線径のみがき鋼棒を旋削、転造等の加工手段により加工し、必要に応じて所要の表面処理を施して形成される。
【００９１】
一方、仮止めロッド７７は、支持シャフト７６の支軸部に嵌合する軸支孔を有して左右に延びる円筒状のロッド部７７ａ、ロッド部７７ａから突出するとともに起立角度位置にある保護フレームの背面位置に合わせて屈曲された仮止めアーム部７７ｂを主体として構成され、例えばＡＢＳ樹脂やポリアセタール等の樹脂材料を射出成型等の成形手段で一体成型して図示する形態に形成する。
【００９２】
仮止めロッド７７は、ロッド部中心の軸支孔に支持シャフト７６を挿通させて軸支させ、ロッド部７７ａを左右から挟み込むようにスナップリングを嵌着させることで、支持シャフト７６の左右中央部にラジアル方向にのみ回動自在に支持される。そして、このように係合連結させた支持シャフト７６の両端ネジ部を左右枠部７２Ｌ，７２Ｒの支持面上端に形成されたＵ字状の固定支持溝７２ｄに係合支持させてナット８３を締め込むことで、支軸部とナット８３との間に左右枠部の支持面を挟み込むようにして固定支持枠７２の上部に固定される。
【００９３】
ここで、支持シャフト７６の支軸部は、その両端が左右枠部７２Ｌ，７２Ｒの支持面間隔に合わせて小径に段落としされてネジ部が形成されているため、上記のように左右のナット８３を締め込んでも左右枠部を引き込んで変形させるようなことがなく、支持シャフト７６を強固に固定させることができる。また、このように固定された支持シャフト７６は、左方枠部７２Ｌの支持面と右方枠部７２Ｒの支持面とを適正な間隔に保持して連結させ、各支持面に作用する外力に抗して左右枠部を補強する補強杆としても機能する。
【００９４】
こうして支持シャフト７６が固定されると、固定支持枠７２の上部に仮止めロッド７７が支軸部まわりに回動可能に支持される。仮止めロッド７７におけるロッド部７７ａの外径は、上記のように支持シャフト７６が固定支持されたときに、ロッド部外周の下端位置が起立角度位置にある保護フレーム７３の上辺の高さ位置と同一もしくは幾分低くなるように設定されており、ガラスアッセンブリ７５が前方に傾動されたときに保護フレーム７３の上辺と係合してガラスアッセンブリ７５を起立角度位置に仮止め可能になっている（図２１（Ａ）に示す保護フレーム前端角部の高さ位置と図２１（Ｂ）に示す起立角度位置にある保護フレーム７３の上辺の高さ位置との差は現実的には０．２〜０．３ｍｍ程度であり、ガラスアッセンブリ７５の傾動過程で支持シャフト７６が弾性変形して保護フレーム７３を受容する）。
【００９５】
また、仮止めアーム部７７ｂは上記のようにガラスアッセンブリ７５が起立角度位置に位置した状態で仮止めロッド７７を回動させたときに、仮止めアーム部７７ｂの先端が保護フレーム７３後方の保護シート面５３ｔと係脱自在に係合し、上記ロッド部７７ａによる仮止め作用とともにガラスアッセンブリ７５を起立角度位置に仮止め保持させる。
【００９６】
なお、保護フレーム７３の前端角部がロッド部７７ａに当接してからガラスアッセンブリ７５が起立角度位置に至るまでの傾動過程（図２１（Ａ）〜図２１（Ｂ）の過程）において、仮止めロッドのロッド部７７ａが保護フレーム７３の上辺と係合して保護フレーム上を転動（仮止めロッド７７が回動）し、起立角度位置になったときに仮止めアーム部７７ｂが保護シート面５３ｔと係合して、１アクションでロッド部７７ａおよび仮止めアーム部７７ｂが同時にガラスアッセンブリ７５を仮止め支持するように構成してもよい。
【００９７】
このような構成として、例えば、ロッド部７７ａと嵌合する支軸部に所定ラジアル角度をおいて２カ所の面取り部を形成するとともに、ロッド部７７ａに軸直交方向にネジ部を形成してボールプランジャ等を螺合させ、先端のボールを上記面取り部に係合させることで、仮止めアーム部７７ｂを一定の開放待機角度位置と仮止め角度位置とに安定させて揺動させることができる。またこのとき仮止めロッド７７は摩擦係数が比較的大きめの樹脂材料を用い、あるいはロッド部外周にゴムスリーブやゴムスポンジ等を巻いて接着固定し、または金属材料等で形成した仮止めロッド７７の外面にゴム系の被覆部材をディッピング等により形成させて、保護フレーム上辺との係合性を高める構成とすることができる。また、保護フレーム７３の上辺にロッド部７７ａとの係合部を形成してもよく、保護フレーム前端角部を揺動軌跡に合わせてＲ状に形成してもよい。
【００９８】
さて、以上のように構成されるガラス取付機構７０を利用してガラスアッセンブリ７５を装着し係止保持させる場合の作用について、図２１および図２２を主に参照しながら説明する。
【００９９】
作業者は、扉開放保持機構４０を利用してガラス扉５を例えば９０度の開放角度に固定保持させておく。また、左方枠部７２Ｌおよび右方枠部７２Ｒの補強パッド５２ｃに螺合されたローレットネジ６１を緩めてネジ先端部が左右枠部７２Ｌ，７２Ｒの内側に突出しない位置に待避させるとともに、左右のロックアーム７８を左右枠部の外側に待避させておく。そして、ガラスアッセンブリ７５を固定支持枠７２の背面側から斜めに枠内に挿入して保護フレーム７３の左右辺下端の軸受フランジ７５ａを下方枠部７２Ｕ左右の開口７２ａから進入させ、支軸係合溝５５ｂを左右枠部の支軸７２ｂに係合させてガラスアッセンブリ５５を支持させる。
【０１００】
次いで、保護フレーム７３の上部を前方に押圧して支軸７２ｂまわりにガラスアッセンブリ５５を揺動させ、ガラス板５４が窓口５１ａの背後を覆うように上方に起立した起立角度位置まで傾動させる。このとき、保護フレーム７３の前端角部が仮止めロッドのロッド部７７ａに当接して仮止めロッド７７を上方に押圧し支持シャフト７６をわずかに上方に弾性変形させながら固定支持枠内に進入する。そしてガラスアッセンブリ５５が起立角度位置まで傾動されると、支持シャフト７６が弾性力で自己復帰し、ロッド部７７ａが保護フレーム上辺と係合してガラスアッセンブリ７５を起立角度位置に仮止めする。また仮止めロッド７７を回動させて仮止めアーム部７７ｂを保護シート面５３ｔに係合させることでロッド部７７ａによる仮止め作用とともにガラスアッセンブリ７５を起立角度位置に仮止めする。
【０１０１】
これにより、ガラスアッセンブリ７５は上下方向への移動および前後方向への傾動がともに規制され、ガラス板５４が窓口５１ａの背後を覆う起立角度位置に仮止め保持される。このため、作業者が保護フレーム７３を支えていなくても、ガラスアッセンブリ７５が倒れ出てきたり、支軸７２ｂと支軸係合溝７５ｂとの係合が外れてガラスアッセンブリ７５が固定支持枠７２から脱落したりするようなことがなく、作業者はガラスアッセンブリ７５を仮止め支持させた状態で保護フレーム等から手を離して次の作業に移ることができる。
【０１０２】
そこで、作業者は上方に待避させていたロックアームの操作つまみ部７８ｍを利用してロックアーム７８を支持ボス５１ｃまわりに回動させ、アーム部７８ｂの先端部を保護フレーム左右の溝間凹部５３ｇに嵌入させる。このとき、下方に揺動する係止溝７８ｃの溝内にロックネジ８１を受容するとともにアーム部７８ｂの先端面が溝間凹部５３ｇの溝底面と滑らかに係合し、係止溝７８ｃの溝頂部がロックネジ８１と係合して揺動規制されるまで揺動させたときに、左右アーム部の先端面がそれぞれ溝間凹部５３ｇの溝底面をわずかに枠部内方に押圧するように係合して、ガラスアッセンブリ７５を前後方向および左右方向に位置決め係止する。
【０１０３】
そこで、前後の固定フランジ７５ｄ，７５ｄ間を繋ぐロックネジ８１を締め込むことで、左右のロックアームのアーム部７８ｂがそれぞれ溝間凹部５３ｇに挟持固定され、ガラスアッセンブリ７５が起立角度位置に固定保持される。さらに、左右枠部７２Ｌ，７２Ｒのローレットネジ６１を締め込んで、ネジ先端部を保護フレームのネジ受容穴５３ｃに係合させることにより、保護フレーム７３の下部においてもガラスアッセンブリ７５の前後傾動および上下動が規制され、ガラスアッセンブリ７５が固定支持枠７２に強固に固定保持される。
【０１０４】
こうしてガラスアッセンブリ７５が起立角度位置に固定保持されると、保護フレーム７３の外周全域が固定支持枠７２および仮止めロッド７７に取り囲まれるように扉枠５１に固定保持され、扉枠５１の前面側からガラス板５４を上下に移動させようとする押圧力や倒伏させようとする押圧力が作用しても、上記した仮止めロッド７７、ロックアーム７８、ローレットネジ６１等の規制効果により、各方向への押圧力に抗してガラスアッセンブリ７５が起立角度位置に係止保持される。
【０１０５】
従って、以上説明したようなガラス取付機構７０によっても上述したガラス取付機構５０と同様にガラス板５４の着脱作業を容易化して容易かつ安全にガラス板の着脱作業を行うことができるとともに、ガラス板５４の損傷を低減させたガラス取付機構を提供することができる。なお、仮止めロッドのロッド部７７ａまたは仮止めアーム部７７ｂに回動操作を容易化する操作つまみ等を適宜設けて構成してもよい。
【０１０６】
図２５および図２６は、ガラス取付機構７０における係止保持機構の変更例を斜視図および背面図（部分断面図）として示したものである。この機構構成について簡単に説明すると、本実施例のロックアーム７８′では、既述したロックアーム７８における係止溝７８ｃに代えて、アーム部７８ｂ′にテーパーピン７８ｐが圧入固定される一方、保護フレーム７３′には、溝間凹部５３ｇから左右外方に突出する係止リブ５５ｃが形成され、この係止リブ５５ｃにテーパーピン７８ｐを受容して係合するピン係合孔７５ｐが形成されている。
【０１０７】
ロックアーム７８′と係止リブ５５ｃとの相対関係では、ガラスアッセンブリを起立角度位置に位置させてロックアーム７８′を枠部内方に揺動させたときに、アーム先端部が保護フレームの溝間凹部５３ｇに進入してアーム部７８ｂ′の前向き面（窓口５１ａに向かう面）が溝間凹部５３ｇの後ろ向き面と係合するとともに、アーム先端面が溝間凹部５３ｇの溝底面と滑らかに係合し、アーム部７８ｂ′が水平になるまで揺動されたときにアーム部７８ｂ′の下縁が係止リブ５５ｃの上面と係合し、テーパーピン７８ｐがピン係合孔７５ｐに嵌合するとともに、アーム先端面が溝間凹部５３ｇの溝底面をわずかに枠部内方に押圧するように設定されている。
【０１０８】
このような構成により、ガラスアッセンブリを起立角度位置に位置させて、左右のロックアーム７８′をそれぞれのアーム部７８ｂ′が水平になる角度位置まで揺動させたときに、アーム部先端が溝間凹部５３ｇ内に嵌入して保護フレームを左右内側に緩く押圧するように係合するとともに、テーパーピン７８ｐがピン係合孔７５ｐに嵌合し、ガラスアッセンブリを前後方向および左右方向に位置決めして係止する。そして、この状態でネジ８２を締め込むことでロックアーム７８′の回動が規制されてガラスアッセンブリが起立角度位置に係止保持される。
【０１０９】
従って、上記係止保持機構を備えるガラス取付機構にあっても、既述した各ガラス取付機構と同様にガラス板の着脱作業を容易化して容易かつ安全にガラス板の着脱作業を行うことができるとともに、ガラス板５４の損傷を低減させたガラス取付機構を提供することができる。
【０１１０】
なお、以上各実施例においては、パチンコ機のガラス扉に本発明のガラス取付機構を適用した場合について説明したが、本発明はパチンコ機に限られるものではなく、ガラス板を透視して遊技を行う遊技機、例えばアレンジボール機や、雀球遊技機、アーケードゲーム機などに対しても同様に適用し同様の効果を得ることができる。
【０１１１】
【発明の効果】
以上説明したように、本発明は、遊技盤の前面側に横開き開閉可能に取り付けられたガラス扉に、ガラス保持手段を介してガラス板が取り付けられる遊技機にあって、ガラス保持手段に、前後のガラス板の外周縁部と係合して一体のガラスアッセンブリを形成させる保護部材と、扉枠の背面側から受容したガラスアッセンブリを着脱可能に支持する支持手段と、支持手段に支持されたガラスアッセンブリが窓口を塞ぐ取付姿勢に位置したときに当該ガラスアッセンブリと係合してガラスアッセンブリを仮止めする仮止め機構と、取付姿勢に位置したガラスアッセンブリと係脱可能に係合してガラスアッセンブリを係止させる係止保持機構とを備え、これによりガラス取付機構を構成する。
【０１１２】
このため、外周部が保護された前後２枚のガラス板を一工程で扉枠に着脱させることができるうえ、遊技機が設置されてガラス扉の上辺部が高所に位置していたとしても扉枠の背面側から低い作業位置でガラス板の着脱作業を行うことができ、背の低い作業者や非熟練作業者であっても容易かつ安全にガラス板の着脱作業を行うことができる。また、支持手段に支持された状態のガラスアッセンブリを押圧等して取付姿勢に位置させることでガラスアッセンブリが取付姿勢に仮止めされるため、ガラスアッセンブリの荷重を支持しながら位置合わせをしたり、片手でガラスアッセンブリを支えながら固定操作する等の必要がなく、ガラス板の着脱作業を全体的に容易化して作業性が良好なガラス取付機構を構成することができる。
【図面の簡単な説明】
【図１】本発明に係るガラス取付機構を備えた遊技機の一例として示すパチンコ機の正面図である。
【図２】ガラス扉と上球皿とを開放した状態のパチンコ機の正面図である。
【図３】ガラス扉を開放した状態で前枠の前方斜め上方から見た扉開放保持機構の分解斜視図である。
【図４】ガラス扉を開放保持させた状態の扉開放保持機構の平面図である。
【図５】ガラス扉を開放保持させた状態の扉開放保持機構の背面図である。
【図６】ガラス扉を閉鎖した状態のパチンコ機の平断面図である。
【図７】ガラスアッセンブリを取り外して分離させた状態で第１実施例のガラス取付機構の概要構成を略示する全体図（背面図）である。
【図８】第１実施例のガラス取付機構の主要部を分解状態で示す斜視図である。
【図９】第１実施例のガラス取付機構における傾動支持機構を主として示す背面図である。
【図１０】第１実施例のガラス取付機構における傾動支持機構を主として示す平断面図である。
【図１１】第１実施例のガラス取付機構における係止保持機構を主として示す背面図である。
【図１２】第１実施例のガラス取付機構における係止保持機構を主として示す平面図である。
【図１３】第１実施例のガラス取付機構における係止保持機構の作用を主として示す説明図であって、（Ａ）図はガラスアッセンブリを着脱角度位置から起立角度位置に傾動させる過程を示す側断面図、（Ｂ）図はガラスアッセンブリを起立角度位置に位置させて係止保持プレートを閉鎖したときの側断面図である。
【図１４】第１実施例のガラス取付機構における傾動支持機構の作用を主として示す説明図であって、（Ａ）図はガラスアッセンブリを固定支持枠に支持させる直前状態の側断面図、（Ｂ）図はガラスアッセンブリを起立角度位置に起仰させた状態の側断面図である。
【図１５】第１実施例のガラス取付機構におけるローレットネジ取付部および仮止め機構の変更例を示す分解斜視図である。
【図１６】上記変更例の各部の断面図であって、（Ａ）図はローレットネジ取付部の平断面図、（Ｂ）図は仮止め機構の平断面図である。
【図１７】第２実施例のガラス取付機構の主要部を分解状態で示す斜視図である。
【図１８】第２実施例のガラス取付機構の主要部を分解状態で示す側面図である。
【図１９】第２実施例のガラス取付機構における傾動支持機構を主として示す背面図である。
【図２０】第２実施例のガラス取付機構における傾動支持機構を主として示す平断面図である。
【図２１】第２実施例のガラス取付機構における仮止め機構および係止保持機構の作用を主として示す説明図であって、（Ａ）図はガラスアッセンブリを着脱角度位置から起立角度位置に傾動させる過程を示す側断面図、（Ｂ）図はガラスアッセンブリを起立角度位置に位置させたときの側断面図である。
【図２２】第２実施例のガラス取付機構における傾動支持機構の作用を主として示す説明図であって、（Ａ）図はガラスアッセンブリを固定支持枠に支持させる直前状態の側断面図、（Ｂ）図はガラスアッセンブリを起立角度位置に起仰させた状態の側断面図である。
【図２３】第２実施例のガラス取付機構における係止保持機構の作用を示す背面図である。
【図２４】第２実施例のガラス取付機構における係止保持機構の作用を示す平断面図である。
【図２５】第２実施例のガラス取付機構における係止保持機構の変更例を示す分解斜視図である。
【図２６】上記変更例の係止保持機構の作用を示す背面図である。
【符号の説明】
ＰＡ　遊技領域
ＰＭ　パチンコ機
１　外枠
２　前枠（２ａ　収容枠、２ｂ　遊技補助盤、２ｃ　）
３ａ，３ｂ　ヒンジ部材
４　施錠装置
５　ガラス扉
６　上球皿
７　ヒンジ機構（７ａ　上部ヒンジ機構、７ｂ　中間ヒンジ機構、７ｃ　下部ヒンジ機構）
８　下球皿
９　操作ハンドル
１０　打球発射装置
１１　発射レール
１２　ファール球回収経路
１３　スピーカ
１４　通出口
１５　通出樋
１６　ロック機構
１７　庇部
（１７ａ，１７ｂ　開放保持突起）
２０　遊技盤
４０　扉開放保持機構
（４０Ａ　第１開放保持機構、４０Ｂ　第２開放保持機構）
４１　係止金具
（４１ａ　保持杆部、４１ｂ　旋回軸部、４１ｃ　係止孔部）
４２　ナット
４６　固定金具
（４６ａ　アーム部、４６ｂ　揺動軸部、４６ｃ　係合溝部）
４７　ネジ
４８　ネジ
５０　ガラス取付機構（第１実施例）
５１　扉枠
（５１ａ　窓口、５１ｂ　ボス、５１ｃ　支持ボス）
５２　固定支持枠
（５２Ｕ　下方枠部、５２Ｌ　左方枠部、５２Ｒ　右方枠部、５２ａ　支軸フランジ、５２ｂ　支軸ピン、５２ｃ　補強パッド、５２ｄ　固定支持溝、５２ｆ　係止フック、５２ｇ　仮支持アーム、５２ｈ　支持孔部、５２ｉ　ネジ受容溝）
５３　保護フレーム
（５３ａ　ガラス溝、５３ｃ　ネジ受容穴、５３ｄ　リブ、５３ｅ，５３ｅ′　支持辺部、５３ｆ　延出辺部、５３ｇ　溝間凹部、５３ｓ　前方の保護シート面、５３ｔ　後方の保護シート面）
５４　ガラス板
５５　ガラスアッセンブリ
（５５ａ　支軸片、５５ｂ　支軸係合溝、５５ｃ　係止リブ）
５６　ヒンジプレート
（５６ａ　プレート部、５６ｂ　固定ヒンジ部）
５７　係止保持プレート
（５７ａ　プレート部、５７ｂ　揺動ヒンジ部、５７ｃ固定片部、５７ｄ　傾動防止片部、５７ｍ　操作片部）
６１　ローレットネジ
６２　枢結ピン
６３　Ｅリング
６４　ローレットネジ
６５　ベース部材（６５ｃ　開口部）
６６　仮支持アーム
（６６ａ　傾斜辺部、６６ｂ　係止辺部、６６ｍ　つまみ部）
７０　ガラス取付機構（第２実施例）
７２　固定支持枠
（７２Ｕ　下方枠部、７２Ｌ　左方枠部、７２Ｒ　右方枠部、７２ａ　開口、７２ｂ　支軸、７２ｃ　切り欠き部、７２ｄ　固定支持溝）
７３，７３′　保護フレーム
７５　ガラスアッセンブリ
（７５ａ　軸受フランジ、７５ｂ　支軸係合溝、７５ｄ　固定フランジ、７５ｐ　ピン係合孔）
７６　支持シャフト
７７　仮止めロッド
（７７ａ　ロッド部、７７ｂ　仮止めアーム部）
７８，７８′　ロックアーム
（７８ａ　カラー部、７８ｂ，７８ｂ′　アーム部、７８ｃ　係止溝、７８ｍ　操作つまみ部、７８ｐ　テーパーピン）
８１　ロックネジ
８２　ネジ
８３　ナット
【図１】
2004081727.tif 000003
【図２】
2004081727.tif 000004
【図３】
2004081727.tif 000005
【図４】
2004081727.tif 000006
【図５】
2004081727.tif 000007
【図６】
2004081727.tif 000008
【図７】
2004081727.tif 000009
【図８】
2004081727.tif 000010
【図９】
2004081727.tif 000011
【図１０】
2004081727.tif 000012
【図１１】
2004081727.tif 000013
【図１２】
2004081727.tif 000014
【図１３】
2004081727.tif 000015
【図１４】
2004081727.tif 000016
【図１５】
2004081727.tif 000017
【図１６】
2004081727.tif 000018
【図１７】
2004081727.tif 000019
【図１８】
2004081727.tif 000020
【図１９】
2004081727.tif 000021
【図２０】
2004081727.tif 000022
【図２１】
2004081727.tif 000023
【図２２】
2004081727.tif 000024
【図２３】
2004081727.tif 000025
【図２４】
2004081727.tif 000026
【図２５】
2004081727.tif 000027
【図２６】
2004081727.tif 000028